【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
多層物品であって、
支持体層、および
前記支持体層上のサブミクロン繊維層、
を含み、前記サブミクロン繊維層が、１ミクロン（μｍ）未満の中央繊維直径を有する高分子繊維を含み、その高分子繊維が、前記サブミクロン繊維層内で均一に分布しているか又は均一に分布しておらず、多層物品。
【請求項２】
前記高分子繊維が、０．３μｍ〜０．９μｍまでの範囲の平均繊維直径を有する、請求項１に記載の多層物品。
【請求項３】
前記高分子繊維が、０．５μｍ〜０．７μｍまでの範囲の平均繊維直径を有する、請求項１に記載の多層物品。
【請求項４】
前記高分子繊維が、ポリオレフィン繊維類、ポリプロピレン繊維類、ポリエチレン繊維類、ポリエステル繊維類、ポリエチレンテレフタレート繊維類、ポリブチレンテレフタレート繊維類、ポリアミド繊維類、ポリウレタン繊維類、ポリブテン繊維類、ポリ乳酸繊維類、ポリビニルアルコール繊維類、ポリフェニレンスルフィド繊維類、ポリスルホン繊維類、液晶ポリマー繊維類、ポリエチレン−コ−酢酸ビニル繊維類、ポリアクリロニトリル繊維類、環状ポリオレフィン繊維類、またはこれらの組み合わせを含む、請求項１に記載の多層物品。
【請求項５】
前記支持体層が、不織布、織布、ニット織物、発泡体層、フィルム、紙の層、裏面粘着層、またはこれらの組み合わせを含む、請求項１に記載の多層物品。
【請求項６】
前記支持体層が、結合された短繊維類のウェブを含み、前記支持体層が、熱接着、冷間接合、接着剤結合、粉末結合剤、水流交絡法、電界紡糸、ニードルパンチ法、カレンダ処理、またはこれらの組み合わせを用いて結合される、請求項１に記載の多層物品。
【請求項７】
サブミクロン繊維層上に追加の層を更に含み、その追加の層が、色保有層、不織布、織布、ニット織物、発泡体層、フィルム、紙の層、粒子類の層、箔層、装飾的な布地層、膜、網状織物、メッシュ、配線網状組織、管状の網状組織、もしくはサブミクロン繊維層とは反対側の前記支持体層上の接着剤層、またはこれらの組み合わせを含むか、又は含まない、請求項１に記載の多層物品。
【請求項８】
建物の壁、建物の天井、建物の壁もしくは天井を形成するための建築材料、金属シート、ガラス基材、ドア、窓、車両の構成要素、機械装置の構成要素、または電気器具の構成要素を含む基材に取り付けられる、請求項１に記載の多層物品。
【請求項９】
ある領域で音を吸収する方法であって、
前記領域の少なくとも一部を請求項１〜８のいずれか一項に記載の多層物品で包囲する工程、
を含む、前記方法。
【請求項１０】
前記領域が、室内、車内、機械装置の部品、電気器具、事務所もしくは工場地帯の独立した防音領域、録音もしくは音響再生領域、映画館もしくはコンサートホールの室内、音が有害である無響室もしくは無響部屋、分析室もしくは分析部屋、または実験室もしくは実験部屋、ノイズから耳を隔離保護するための耳当てもしくは耳カバーを含む、請求項９に記載の方法。
【請求項１１】
前記の包囲する工程が、前記サブミクロン繊維層を基材に取り付けることを含み、前記基材が、建物の壁、建物の天井、建物の壁もしくは天井を形成するための建築材料、金属シート、ガラス基材、ドア、窓、車両の構成要素、機械装置の構成要素、または電気器具の構成要素を含む、請求項９に記載の方法。
【手続補正２】
【補正対象書類名】明細書
【補正対象項目名】００６９
【補正方法】変更
【補正の内容】
【００６９】
本明細書は、その特定の実施形態について詳述してきたが、前述の事項を理解することにより、当業者がこれらの実施形態に対する変更、その変形、およびそれらの相当物を容易に想像できることは明らかである。従って、本開示の範囲は、添付の請求項およびそれらの任意の相当物の範囲と判定されるべきである。
以下に、本願発明に関連する発明の実施態様を列挙する。
実施態様１
多層物品であって、
支持体層、および
前記支持体層上のサブミクロン繊維層、
を含み、前記サブミクロン繊維層が、１ミクロン（μｍ）未満の中央繊維直径を有する高分子繊維を含む、多層物品。
実施態様２
前記高分子繊維が、約０．３μｍ〜約０．９μｍまでの範囲の平均繊維直径を有する、実施態様１に記載の多層物品。
実施態様３
前記高分子繊維が、約０．５μｍ〜約０．７μｍまでの範囲の平均繊維直径を有する、実施態様１に記載の多層物品。
実施態様４
前記高分子繊維が、ポリオレフィン繊維類、ポリプロピレン繊維類、ポリエチレン繊維類、ポリエステル繊維類、ポリエチレンテレフタレート繊維類、ポリブチレンテレフタレート繊維類、ポリアミド繊維類、ポリウレタン繊維類、ポリブテン繊維類、ポリ乳酸繊維類、ポリビニルアルコール繊維類、ポリフェニレンスルフィド繊維類、ポリスルホン繊維類、液晶ポリマー繊維類、ポリエチレン−コ−酢酸ビニル繊維類、ポリアクリロニトリル繊維類、環状ポリオレフィン繊維類、またはこれらの組み合わせを含む、実施態様１に記載の多層物品。
実施態様５
前記高分子繊維が、ポリオレフィン繊維類を含む、実施態様１に記載の多層物品。
実施態様６
前記高分子繊維が、前記サブミクロン繊維層内で均一に分布している、実施態様１に記載の多層物品。
実施態様７
前記支持体層が、不織布、織布、ニット織物、発泡体層、フィルム、紙の層、裏面粘着層、またはこれらの組み合わせを含む、実施態様１に記載の多層物品。
実施態様８
前記支持体層が、スパンボンド布地、メルトブローン布地、短繊維長の繊維類のカードウェブ、またはこれらの組み合わせを含む、実施態様１に記載の多層物品。
実施態様９
前記支持体層が、結合された短繊維類のウェブを含み、前記支持体層が、熱接着、冷間接合、接着剤結合、粉末結合剤、水流交絡法、電界紡糸、ニードルパンチ法、カレンダ処理、またはこれらの組み合わせを用いて結合される、実施態様１に記載の多層物品。
実施態様１０
前記サブミクロン繊維層とは反対側の前記支持体層上に接着剤層を更に含む、実施態様１に記載の多層物品。
実施態様１１
サブミクロン繊維層上に追加の層を更に含む、実施態様１に記載の多層物品。
実施態様１２
前記追加の層が、色保有層、不織布、織布、ニット織物、発泡体層、フィルム、紙の層、粒子類の層、箔層、装飾的な布地層、膜、網状織物、メッシュ、配線網状組織もしくは管状の網状組織、またはこれらの組み合わせを含む、実施態様１１に記載の多層物品。
実施態様１３
建物の壁、建物の天井、建物の壁もしくは天井を形成するための建築材料、金属シート、ガラス基材、ドア、窓、車両の構成要素、機械装置の構成要素、または電気器具の構成要素を含む基材に取り付けられる、実施態様１に記載の多層物品。
実施態様１４
ある領域で音を吸収する方法であって、
前記領域の少なくとも一部をサブミクロン繊維層で包囲する工程であって、前記サブミクロン繊維層が１ミクロン（μｍ）未満の中央繊維直径を有する繊維類を含むこと、
を含む、前記方法。
実施態様１５
前記領域が、室内、車内、機械装置の部品、電気器具、事務所もしくは工場地帯の独立した防音領域、録音もしくは音響再生領域、映画館もしくはコンサートホールの室内、音が有害である無響室もしくは無響部屋、分析室もしくは分析部屋、または実験室もしくは実験部屋、ノイズから耳を隔離保護するための耳当てもしくは耳カバーを含む、実施態様１４に記載の方法。
実施態様１６
前記の包囲する工程が、前記領域の少なくとも一部の上に多層物品を配置することを含み、前記多層物品が、支持体層上に前記サブミクロン繊維層を含む、実施態様１４に記載の方法。
実施態様１７
前記支持体層が、不織布、織布、ニット織物、発泡体層、フィルム、紙の層、裏面粘着層、またはこれらの組み合わせを含む、実施態様１６に記載の方法。
実施態様１８
前記の包囲する工程が、前記領域の少なくとも一部の上に多層物品を配置することを含み、前記多層物品が、支持体層上に前記サブミクロン繊維層を含むと共に、前記サブミクロン繊維層の上に追加の層を含む、実施態様１６に記載の方法。
実施態様１９
前記追加の層が、色保有層、不織布、織布、ニット織物、発泡体層、フィルム、紙の層、粒子類の層、箔層、装飾的な布地層、膜、網状織物、メッシュ、配線網状組織もしくは管状の網状組織、またはこれらの組み合わせを含む、実施態様１８に記載の方法。
実施態様２０
前記の包囲する工程が、前記サブミクロン繊維層を基材に取り付けることを含み、前記基材が、建物の壁、建物の天井、建物の壁もしくは天井を形成するための建築材料、金属シート、ガラス基材、ドア、窓、車両の構成要素、機械装置の構成要素、または電気器具の構成要素を含む、実施態様１４に記載の方法。
実施態様２１
音源物体とある領域との間に遮音壁を提供する方法であって、前記方法が、
前記音源物体と前記領域との間に１ミクロン（μｍ）未満の中央繊維直径を有する繊維類を含むサブミクロン繊維層を提供する工程を含む、前記方法。
実施態様２２
前記音源物体が、自動車、機械装置の部品、電気器具モータもしくはその他の駆動電気器具構成要素、エレクトロニクス機器、テレビ、動物、またはこれらの組み合わせを含む、実施態様２１に記載の方法。
実施態様２３
前記領域が、室内、車内、機械装置の部品、電気器具、事務所もしくは工場地帯の独立した防音領域、録音もしくは音響再生領域、映画館もしくはコンサートホールの室内、音が有害である無響室もしくは無響部屋、分析室もしくは分析部屋、または実験室もしくは実験部屋、ノイズから耳を隔離保護するための耳当てもしくは耳カバーを含む、実施態様２１に記載の方法。